(57)【特許請求の範囲】
【請求項１】
液体窒素を冷媒として該冷媒に浸漬され冷却される電力用誘導機器の超電導コイルであって、絶縁材からなる円筒状巻枠の外径側周面に螺旋状のコイル溝が形成され、該コイル溝に沿ってその溝内にテープ状の高温超電導線材が巻回されたものにおいて、
前記の螺旋状コイル溝に沿ってその内径側に、該コイル溝より狭小な溝幅に設定された螺旋状の冷却ダクトを有し、前記超電導線材を包含して前記巻枠の外周面域を密閉状に覆うように気液不透過性の絶縁テープが巻枠周面に巻装され、
前記螺旋状の冷却ダクトは、上下両端を円筒状巻枠の上下端面に開放して外方に連通していることを特徴とする電力用誘導機器の超電導コイル。
【請求項２】
請求項１に記載の超電導コイルにおいて、円筒状巻枠の外径側には、前記の螺旋状コイル溝および冷却ダクトと交差して巻枠の縦軸方向に延在する冷却ダクトが巻枠の周上に分散して形成されていることを特徴とする電力用誘導機器の超電導コイル。
【請求項３】
請求項２に記載の超電導コイルにおいて、前記縦軸方向の冷却ダクトは、冷媒通路の上下両端が開口して前記液体窒素が冷却ダクト内を流入、流出可能に構成されていることを特徴とする電力用誘導機器の超電導コイル。
【請求項４】
請求項２または３に記載の超電導コイルにおいて、前記螺旋状の冷却ダクトと前記縦軸方向の冷却ダクトとが連通していることを特徴とする電力用誘導機器の超電導コイル。
【請求項５】
請求項２から４のいずれか１項に記載の超電導コイルにおいて、前記縦軸方向の冷却ダクトは、前記螺旋状の冷却ダクトよりも深さが大であることを特徴とする電力用誘導機器の超電導コイル。
【発明の詳細な説明】
【技術分野】
【０００１】
本発明は、液体窒素を冷媒として、その冷媒中に浸漬して冷却するようにした超電導限流器，超電導変圧器などの電力用誘導機器に適用する縦置き形の超電導コイルに関する。
【背景技術】
【０００２】
昨今では、液体窒素温度（大気圧下での沸点：７７Ｋ）以上で超電導の臨界温度をもつ高温酸化物超電導体の出現に伴い、この高温超電導線材を使用して構成した頭記の超電導誘導機器を液体窒素の冷媒中に浸漬して冷却し、通電中に超電導線材を臨界温度以下に保持するようにした超電導機器，およびその冷却システムの開発が進んでいる。
【０００３】
次に、超電導変圧器を例に、そのコイル導体に前記した高温超電導線材を用いた超電導コイル，および超電導変圧器の従来構造例を図４〜図６に示し、また超電導機器を冷却する液体窒素冷却システムの一例を図７に示す。
【０００４】
まず、図４，および図５（ｂ），（ｃ）は、従来技術の例として特許文献１，特許文献２に開示されている超電導コイルの構成図であり、各図において１は変圧器の鉄心、２は低圧コイル層、３は低圧コイル層２の外周側に配置した高圧コイル層であり、低圧コイル層２，高圧コイル層３は鉄心１の脚部（縦向き）を包囲して同心配置し、各コイル層の間には後述のように液体窒素などの冷媒を通流して極低温に冷却し、その超電導コイルを臨界温度以下の超電導状態に維持して運転するようにしている。
【０００５】
ここで、従来技術による超電導コイルは、図５（ａ）〜（ｃ）で示すようにＦＲＰなどの絶縁材で作られた円筒状の巻枠４の外周面側に前記の高温酸化物超電導体で作られた超電導線材５を巻回して構成している。また、現在開発が進められている高温超電導線材は、厚さ０．１mm，幅５mm程度のテープ状であることから、この超電導線材５のテ
ープ幅寸法に合わせて巻枠４の外周面には螺旋状のコイル溝４ａをあらかじめ加工しておき、このコイル溝４ａに沿って超電導線材５を一条，ないし複数条重ねて溝内に巻回した上で、さらに超電導線材５の外周面にガラスバインドテープ６、あるいは常温導電体の金属テープを巻き付け、過電流が流れた際に超電導線材５に加わる半径方向の電磁力を外周側から支持するようにしている。また、巻枠４の外周面上には前記の螺旋状コイル溝４ａと交差するよう縦軸方向に延在する冷却ダクト４ｂを周上に分散形成し、この冷却ダクト４ｂに液体窒素を通流して超電導線材５の通電に伴う発熱を内径側から除熱するようにしている（例えば、特許文献１、特許文献２参照）。
【０００６】
また、図６で示すように超電導変圧器のコイル組立体は、前記の低圧コイル層２を内側，高圧コイル層３を外側に配置して各コイル層の巻枠４をその上下に配したコイル支持部材（円盤状フランジ）７の間に挟持し、かつ低圧コイル層２と高圧コイル層３との間に所定の絶縁距離ｄを設定した上で、上下のコイル支持部材７の間を図示されてないスタッドボルトで締結して支持するようにしている。なお、図６の構成例では低圧コイル層を２層，高圧コイル層３を４層に分けて多重円筒形構成としている。また、図には表してないが、前記のコイル支持部材７にはそのフランジ板面に冷媒通過穴を適宜に分散穿孔しておき、コイル組立体を冷媒容器に収容して液体窒素中に浸漬した状態で、冷媒容器内で対流する液体窒素が各コイル層間に通流するようにしている。
【０００７】
次に、液体窒素を冷媒として超電導変圧器などの超伝導機器を冷却する液体窒素冷却システムの一例（例えば、非特許文献１参照）を図７に示す。この冷却システムは、超伝導誘導機器８（例えば、超電導変圧器）を収容した冷媒容器（クライオスタット）９と、極低温冷凍機１０を装備した冷凍機ユニット１１とに分けた上で、送液ポンプ１２，送液管路１３を介して冷凍機ユニット１１に収容した液体窒素１４を冷媒容器９との間に循環送流し、超伝導誘導機器８の運転時には通電に伴う熱負荷を液体窒素１４で除熱するようしている。また、この冷凍機ユニット１１では、極低温冷凍機１０により液体窒素１４をサブクール状態の過冷却液体窒素（例えば、６５Ｋ）に冷却した上で、冷媒容器９に送液するようにしている。なお、図中の８ａは超電導機器のコイルに接続して容器外方に引出した電流リード（ブッシング）、１４ａは液体窒素１４の液面上のガス空間を満たしている窒素ガスである。
【０００８】
前記のように液体窒素中に浸漬して使用する超電導機器（超電導変圧器）の定常運転状態では、超電導コイルが臨界温度以下の超電導状態に保持されるので、超電導線はジュール発熱せず液体窒素温度と同程度の温度を保持する。しかしながら、励磁突入や短絡事故発生などにより超電導コイルに想定を超える過大な電流が流れた場合は、臨界電流を超えて超電導から常電導状態に転移（クエンチ）して超電導線材に抵抗が生じ、そのジュール発熱によって超電導線材の温度が急激に上昇するようになる。
【０００９】
このために、冷媒にサブクール状態の過冷却液体窒素を用いたとしても、超電導線材の表面に接する部分では液体窒素が沸点（７７Ｋ）を超え、液体窒素中に沸騰が生成して気泡が発生することが想定される。この場合に、液体窒素は元来良好な絶縁媒体であるが、気化することでその絶縁耐力が大きく低下することから、超電導機器を収容した冷媒容器（接地電位）内で超電導コイルの周域、および高圧／低圧コイル層の層間に多量の気泡が発生した状態になると、超電導コイル，高圧／低圧コイル層の層間，および電流リードなどに対する耐電圧が低下して絶縁破壊を引き起こすおそれがある。
【００１０】
そこで、超電導機器の稼働中に過電流の通電により液体窒素中に発生した気泡を速やかに消滅させて所定の絶縁性能を保持するための対策として、冷媒容器内に発生した気泡を積極的に回収して容器外に排出する、あるいは容器内を浮上する気泡を捕集するような気泡消滅手段を備えた超電導機器装置が知られている（例えば、特許文献３参照）。
【先行技術文献】
【特許文献】
【００１１】
【特許文献１】特開２０００−１３３５１５号公報（図１０、図１１）
【特許文献２】特開２００１−２４４１０８号公報（図１）
【特許文献３】特開２００７−２７３７４０号公報
【非特許文献】
【００１２】
【非特許文献１】吉田  茂、他１名、"大気圧過冷却液体窒素を用いた冷却システム"、図３、［online］、太陽日酸技報  No.23(2004)、［平成２３年１１月１日検索］、インターネット＜ＵＲＬ： http://www.tn-sanso-giho.com/pdf/23/16.pdf＞
【発明の概要】
【発明が解決しようとする課題】
【００１３】
ところで、近年では配電変電所クラスの容量を持つ変圧器、例えば高圧側電圧が６６〜７７ＫＶ、低圧側電圧が６．６〜６．９ＫＶ、変圧器容量が数ＭＶＡ〜数十ＭＶＡにもおよぶ大容量の超電導変圧器の開発が進められている。ここで、液体窒素の絶縁性能は、油入変圧器の絶縁油と同程度であるが、液体窒素中に気泡が存在すると絶縁性能は著しく低下することから、超電導変圧器を浸漬した液体窒素中に気泡が発生するのを極力抑制するために、一般的には液体窒素を６６Ｋ〜７０Ｋ程度のサブクール状態に過冷却して超電導コイルを冷却するようにしている。
【００１４】
しかしながら、励磁突入や短絡事故発生などに起因する過電流通電により、超電導コイルが超電導から常電導状態に転移した場合には、超電導コイルを冷却する冷媒として前記のようにサブクール状態の液体窒素を用い、さらに特許文献３に開示されているような気泡消滅手段を併用したとしても、先記のように超電導線材のジュール発熱により高温度に上昇した超電導コイルからの伝熱を受けて液体窒素中に気泡が発生するようになり、また前記の気泡消滅手段（特許文献３）も実用的にはその能力に限界があって気泡発生に起因する超電導機器の絶縁性能低下を根本的に防ぐ解決策にはならない。
【００１５】
また、図６に示した超電導変圧器のコイル組立体のように、低圧コイル層２，高圧コイル層３の巻枠４その上下に配した円盤状のコイル支持部材７で支持した構成では、次のような問題も生じる。すなわち、高温超電導線材５の発熱に伴ってコイル層の外周面に連続して発生した気泡が液体窒素中を拡散しながら浮上移動する過程で、巻枠４の上端側に配したコイル支持部材７のフランジ下面側に到達して低圧コイル層２と高圧コイル層３との間に気泡のブリッジを形成するような状態になると、低圧コイル層２と高圧コイル層３との間にあらかじめ所定の絶縁距離ｄを設定したとしても、この気泡ブリッジを通じて層間の耐電圧が低下して絶縁破壊が生じる懸念がある。
【００１６】
なお、発明者等が図５の超電導コイルを模擬してサブクール状態の液体窒素に浸漬したコイルモデルについて、超電導コイルに短絡電流を模擬した過電流を流した際に液体窒素中に発生する気泡の挙動を高速カメラで観察したところによれば、過電流の通電開始直後から超電導線材の表面に接する部分に液体窒素の沸騰が生成して気泡が連続的に発生し、この気泡が超電導コイルの巻枠外周面に沿って上方に浮上していく様子が観察されている。
【００１７】
この場合に、超電導コイルの下部，あるいは中部に巻回されている超電導線材の表面に発生した気泡は、液体窒素中に浮上移動する途上で再液化して消滅するようになるが、巻枠の上部域に巻回されている超電導線材の表面部位に発生した気泡は再液化する以前に巻枠の上端まで達して周囲に流出することが確認されている。
【００１８】
そこで、本発明は、液体窒素中に浸漬して冷却する超電導変圧器などの電力用誘導機器に適用する超電導コイルについて、液体窒素による高い除熱，冷却性能を確保しつつ、超電導コイルの外周面側に気泡が発生するのを極力抑制して過大電流の通電時でも気泡に起因する絶縁耐力の低下を確実に防止して所定の絶縁性能を保持できるように改良した電力用誘導機器の超電導コイルを提供することを目的とする。
【課題を解決するための手段】
【００１９】
前記目的を達成するために、本発明によれば、液体窒素を冷媒として該冷媒に浸漬され冷却される電力用誘導機器の超電導コイルであって、絶縁材からなる円筒状巻枠の外径側周面に螺旋状のコイル溝が形成され、該コイル溝に沿ってその溝内にテープ状の高温超電導線材が巻回されたものにおいて、
前記の螺旋状コイル溝に沿ってその内径側に、該コイル溝より狭小な溝幅に設定された螺旋状の冷却ダクトを有し、前記超電導線材を包含して前記巻枠の外周面域を密閉状に覆うように気液不透過性の絶縁テープが巻枠周面に巻装され、前記螺旋状の冷却ダクトは、上下両端を円筒状巻枠の上下端面に開放して外方に連通している（請求項１）。
【００２０】
また、本発明は前記構成を基本として、超電導コイルを次記のような態様で構成することもできる。
（１）円筒状巻枠の外径側には、前記の螺旋状コイル溝および冷却ダクトと交差して巻枠の縦軸方向に延在する冷却ダクトが巻枠の周上に分散して形成されている（請求項２）。
（２）前記縦軸方向の冷却ダクトは、冷媒通路の上下両端が開口して前記液体窒素が冷却ダクト内を流入、流出可能に構成されている（請求項３）。
（３）前記螺旋状の冷却ダクトと前記縦軸方向の冷却ダクトとが連通している（請求項４）。
（４）前記縦軸方向の冷却ダクトは、前記螺旋状の冷却ダクトよりも深さが大である（請求項５）。
【発明の効果】
【００２１】
前記構成になる超電導コイルによれば、液体窒素による高い除熱，冷却性能を確保しつつ、超電導コイルの外周面側に液体窒素の気泡が発生するのを極力抑制して過大電流の通電時でも絶縁耐力の低下を防止して高い絶縁性能を確保することができる。すなわち、
（１）螺旋状コイル溝に沿ってその内径側に、該コイル溝より狭小な溝幅に設定した螺旋状の冷却ダクトを形成するとともに、前記超電導線材を包含して前記巻枠の外周面域を密閉状に覆うように、半硬化状のエポキシ樹脂を含浸させた絶縁テープを巻枠の周面に巻装して熱硬化処理を施すことにより、巻枠の螺旋状コイル溝に沿ってその溝内に巻回した超電導線材は、前記コイル溝の内径側に沿って形成した螺旋状の冷却ダクトに通流する液体窒素との間で熱交換して除熱，冷却される。一方、前記コイル溝に沿って巻回した超電導線材を含めて巻枠の外周面域が、エポキシ樹脂を含浸，硬化させた気液不透過性の絶縁テープで密閉状に覆われているので、超電導線材の外周側が液体窒素に接することがなく、かつこの絶縁テープが断熱層となってコイル外周面側には気泡の発生が抑制される。
【００２２】
したがって、短絡事故時などによる過電流の通電を想定しても、ジュール発熱した超電導線材はその内径側の冷却ダクトを通流する液体窒素と熱交換して効果的に除熱，冷却されるので、絶縁テープで覆われたコイル層の外周面側では気泡の発生が抑止される。なお、過電流の値によっては前記冷却ダクトを通流する液体窒素中に気泡が発生することも予測されるが、この冷却ダクトは巻枠とその外周面に巻装した絶縁テープで密閉状に覆われているので、冷却ダクト内に発生した気泡が超電導コイルの外周面側に漏出することがなく、かつ気泡は螺旋状の冷却ダクト内を上方に浮上移動する途上でダクト内を通流する液体窒素で冷却されるので、巻枠の上端に達する以前に殆どが再液化して消滅する。これにより、超電導コイルとして所定の絶縁性能を保持できる。
（２）また、前記の螺旋状冷却ダクトに加えて円筒状巻枠には、前記の螺旋状コイル溝および冷却ダクトと交差して巻枠の縦軸方向に延在する冷却ダクトを巻枠の周上に分散形成した上で、巻枠の周面を絶縁テープで密閉状に覆ったことにより、巻枠に巻回した超電導線材はその内周側に形成した周方向，および軸方向に延在する双方の冷却ダクトに通流する液体窒素と直接熱交換して除熱，冷却されることになる。したがって、この構成では超電導線材とこれに接して通流する液体窒素との間の熱伝達面積が大きくなるので、過電流の通電時に発熱した超電導線材を高い効率で冷却できるとともに、螺旋方向の冷却ダクトと交差する縦軸方向の冷却ダクトを追加形成することで冷却ダクトに通流する液体窒素の流れ性も向上する。
（３）さらに、前記巻枠の上端側には、その周面に巻回した超電導線材の上端からさらに上方に延在する延長部を形成し、かつ該延長部の軸方長距離を１００mm以上，２００
mm以下に設定することにより、超電導線材との熱交換により発生した気泡が前記冷却ダ
クト内を浮上移動する過程で再液化するための十分な距離を確保できる。これにより、冷却ダクト内に発生した気泡は巻枠の上端まで浮上到達する以前にダクト内で確実に再液化するようになるので、気泡が超電導コイルの巻枠上端から周囲の液体窒素中に流出するのを防止して絶縁性能に及ぼす影響が回避される。
（４）そのほか、超電導コイルを冷却する冷媒にサブクール状態の液体窒素（例えば、６６Ｋ）を使用することで、飽和液体窒素（７７Ｋ）と比べて超電導線材の臨界電流が高まるほか、過電流の通電に伴う気泡の発生も少なくなる。
【図面の簡単な説明】
【００２３】
【図１】本発明の第１実施例に係わる超電導コイルの略示構成図であって、（ａ）はコイル一部の横断面図、（ｂ）は（ａ）の縦断面図である。
【図２】本発明の第２実施例に係わる超電導コイルの略示構成図であって、（ａ）はコイル一部の横断面図、（ｂ），（ｃ）はそれぞれ（ａ）における矢視Ａ−Ａ，Ｂ−Ｂの縦断面図である。
【図３】本発明の第３実施例に係わる超電導コイルの巻枠上端側部分の縦断面図である。
【図４】超電導変圧器を対象とした超電導コイルの略示配置図である。
【図５】図４における高圧コイル層，低圧コイル層の従来例の構成，配置図であって、（ａ）は巻枠の略示外形図、（ｂ）は巻枠に超電導線材を巻回した状態の縦断面図、（ｃ）は（ｂ）の横断面図である。
【図６】従来例の超電導変圧器における高圧コイル層，低圧コイル層の組立構造を表す略示縦断面図である。
【図７】超電導コイル，超電導変圧器に適用する液体窒素冷却システムのシステムフロー図である。
【発明を実施するための形態】
【００２４】
以下、この発明による電力用誘導機器の超電導コイルの実施の形態を図１〜図３に示す各実施例に基づいて説明する。なお、実施例の図中で図５に対応する同一部材には同じ符号を付してその説明は省略する。
【実施例１】
【００２５】
先ず、本発明の第１実施例に係わる超電導コイルの構成を図１（ａ），（ｂ）に示す。この実施例においては、ＦＲＰなどの絶縁材で作られた円筒状の巻枠４には、その外周面に図４で示した従来構造と同様な螺旋状のコイル溝４ａを加工して超電導線材５を巻回するようにするとともに、螺旋状コイル溝４ａに沿ってその内径側には、該コイル溝４ａより狭小な溝幅に設定した螺旋状の冷却ダクト４ｃを刻設形成している。なお、図示例では、前記のコイル溝４ａに８本の超電導線材５を４重×２列に並べて巻回するようにしているが、超電導線材５の本数，配列はこれに限定されるものではない。また、図示してないが前記の螺旋状冷却ダクト４ｃは、その上下両端を円筒状巻枠４の上下端面に開放して外方に連通するようにしている。
【００２６】
そして、前記コイル溝４ａに沿って巻枠４に超電導線材５を巻回した上で、この超電導線材５を包含して巻枠４の外周面全域を密閉状に覆うように、樹脂を含浸させた気液不透過性の絶縁テープ１５を巻枠４の周面に巻き付けて超電導コイルを構成している。
【００２７】
ここで、前記の絶縁テープ１５は、引張強度の高いガラス繊維で編んだクロスに半硬化状のエポキシ樹脂を含浸させたプリプレグテープを巻枠４に巻き付けて熱硬化処理するようにしている。この絶縁テープ１５は液体，気体の透過性はなく、かつ高い断熱性も有し、また超電導線材５に働く半径方向の電磁力を保持するバインドテープの役目も果たしている。
【００２８】
そして、上記構成のコイル組立体を図７に示した液体窒素冷却システムの冷媒容器に収納して液体窒素に浸漬した通電状態では、巻枠４の螺旋状コイル溝４ａに巻回した超電導線材５は、前記コイル溝４ａの内径側に沿って形成した螺旋状の冷却ダクト４ｃに通流する液体窒素により除熱，冷却される。一方、コイル溝４ａに沿って巻回した超電導線材５を含めて巻枠４の外周面域は、エポキシ樹脂を含浸，硬化させた気液不透過性の絶縁テープ１５で密閉状に覆われていているので超電導線材５の外周側が液体窒素に接することがなく、かつこの絶縁テープ１５が断熱層となってコイル外周面側には気泡の発生が抑制される。
【００２９】
したがって、短絡事故時などによる過電流の通電を想定しても、ジュール発熱した超電導線材５はその内径側の冷却ダクト４ｃを通流する液体窒素と熱交換して効果的に除熱，冷却されるので、絶縁テープ１５で覆われたコイル層の外周面側には気泡の発生が抑止される。なお、この場合に過電流の値によっては前記冷却ダクト４ｃを通流する液体窒素中に気泡が発生することも予測されるが、この冷却ダクト４ｃは巻枠４とその外周面に巻装した絶縁テープ１５で密閉状に覆われているので、冷却ダクト内に発生した気泡が超電導コイルの外周面側に漏出することがなく、かつ気泡は螺旋状の冷却ダクト４ｃ内を上方に浮上移動する途上でダクト内を通流する液体窒素で冷却されるので、巻枠４の上端に達する以前に殆どが再液化して消滅する。したがって、超電導コイルを浸漬した液体窒素中に気泡が発生することが抑止され、これにより所定の絶縁性能を保持できる。また、この場合に超電導コイルを浸漬する冷媒として、サブクール状態に過冷却した液体窒素（例えば６６Ｋ）を用いることにより、冷却性能がより一層向上する。
【実施例２】
【００３０】
次に本発明の請求項３に係わる実施例の構成を図２（ａ）〜（ｃ）に示す。この実施例では、円筒状巻枠４の外径側に先記の実施例１で述べた螺旋状のコイル溝４ａ，および冷却ダクト４ｃのほかに、前記の螺旋状コイル溝４ａ，および冷却ダクト４ｃと交差して巻枠４の縦軸方向に延在する冷却ダクト４ｂを巻枠４の周上に分散して形成した上で、さらに実施例１と同様に巻枠４の外周面に絶縁テープ１５で密閉状に巻き付けて超電導コイルを構成している。なお、縦軸方向の冷却ダクト４ｂは、その溝深さが螺旋状のコイル溝４ａと冷却ダクト４ｃよりも大で、かつその冷媒通路の上下両端が巻枠４の上下端面に開口して液体窒素が冷却ダクト内を自由に流入，流出するようにしている。
【００３１】
この構成によれば、巻枠４のコイル溝４ａに沿って巻回した超電導線材５は、その内周側に形成した縦軸方向，および螺旋方向の双方の冷却ダクト４ｂと４ｃに通流する液体窒素と熱交換して冷却されるようになる。
【００３２】
これにより、先記の実施例１と比べて超電導線材５と冷却ダクトを通流する液体窒素との間の熱伝達面積が大きくなるので、過電流の通電で発熱した超電導線材５を効率よく冷却できる。また、螺旋状の冷却ダクト４ｃに交差，連通する縦軸方向の冷却ダクト４ｂを巻枠４の周上に分散して追加形成することで、超電導線材５に沿って形成した螺旋状の冷却ダクト４ｃを通流する液体窒素の流れもさらに向上する。
【実施例３】
【００３３】
次に、本発明の請求項４に係わる実施例を図３で説明する。図３は、本発明の第３実施例に係わる超電導コイルの巻枠上端側部分における縦軸方向の冷却ダクトが配設されている周方向位置での縦断面図であって、先記実施例２に示した超電導コイルに対して、巻枠の上端側に該巻枠の周面に巻回した超電導線材の巻回域上端からさらに上方に延在する延長部を形成した構成を示すものである。
【００３４】
先記実施例２に示した超電導コイルでは、巻枠４の軸方向に沿った下部，ないし中央部にて超電導線材５との熱交換により冷却ダクト４ｂ，４ｃに発生した気泡はダクト内を上方に浮上移動する途上で再液化され、巻枠４の上方に気泡が流出することはないが、超電導コイルに通電する過電流の電流値によっては、巻枠４の上部に巻回されている超電導線材５との熱交換で発生した気泡は、再液化される以前に巻枠４の上端に達して超電導コイルの上方に流出する懸念がある。
【００３５】
そこで、この実施例３においては、円筒状巻枠４の上端側に、該巻枠４に巻回した超電導線材５の巻回域上端からさらに上方に延在する延長部４ｄを形成し、かつこの延長部４ｄには軸方向の長さが１００mm以上，２００mm以下である距離Ｌを設定するように
している。
【００３６】
この構成により、巻枠４の上部に巻回されている超電導線材５の伝熱を受けて冷却ダクト内に発生した気泡に対しても、その気泡発生地点と巻枠４の上端との間には気泡を再液化するための十分な距離が確保される。したがって、前記冷却ダクト４ｂ，４ｃの冷媒通路中に発生した気泡は、その発生地点の位置（巻枠４の上部，中部，下部）に左右されることなく、冷却ダクト中に発生した気泡は全て巻枠４の上端に到達する以前に再液化して消滅するようになる。
【００３７】
なお、発明者等が、超電導コイルをサブクール状態の液体窒素に浸漬したコイルモデルについて、超電導コイルに短絡電流を模擬した過電流を流した際に液体窒素中に発生する気泡の挙動を観察した実験では、液体窒素中に発生した気泡はその発生地点から上方に大凡６０mm程度の距離を浮上移動すると再液化して殆ど消滅することが検証されて
いる。そこで、前記のように円筒状巻枠４の上端側に延長部４ｄを形成した上で、該延長部４ｄの軸方向長さ距離Ｌを前記実験で検証した距離６０mmよりも長い距離（１００
〜２００mm）を設定しておけば、過電流の通電でジュール発熱した超電導線材５からの
伝熱を受けて前記の冷却ダクト４ｂ，４ｃ内に発生した気泡を、巻枠４の上端に到達する以前に全て再液化させて消滅することができる。また、その延長部４ｄの距離Ｌを最大でも２００mm以下に抑えて設定することで、容量が数ＭＶＡの超電導変圧器（全体高
さが５ｍ以上にも及ぶ）に対しても、その超電導コイルの巻枠高さ寸法を僅か延長するだけで、その巻枠４に形成した冷却ダクト内に発生した気泡がコイル上方の液体窒素中に流出するのを確実に防止して高い絶縁性能を確保できてその効果は極めて大である。
【符号の説明】
【００３８】
１    変圧器鉄心
２    低圧コイル層
３    高圧コイル層
４    巻枠
４ａ  コイル溝
４ｂ  縦軸方向の冷却ダクト
４ｃ  螺旋状の冷却ダクト
４ｄ  巻枠の延長部
５    高温超電導線材
７    コイル支持部材
１４    液体窒素
１５    絶縁テープ
Ｌ    延長部の長さ距離
【図１】
0005921874.tif 000002
【図２】
0005921874.tif 000003
【図３】
0005921874.tif 000004
【図４】
0005921874.tif 000005
【図５】
0005921874.tif 000006
【図６】
0005921874.tif 000007
【図７】
0005921874.tif 000008